(57)【要約】【課題】手首血圧計が、手首の正しい位置に装着されていない状態で使用されることによる血圧測定精度の低下を防止する。【解決手段】手首血圧計１は、カフ帯２と血圧計本体３とが一体となるように構成されている。血圧計本体３は、手首側端面に手首血圧計１を手首９に正しく巻き付ける目安となる目印部１０を備える。目印部１０は、逆三角形状であり血圧計本体３の手首側端面の略中央部に設けられている。被測定者は、目印部１０が手首９の幅方向中央を指すようにして、手首血圧計１を手首９に装着する。このとき、カフ帯２は、手首９の周方向にずれることなく正しい位置に巻き付けられる。これにより、手首血圧計１は、周方向へのずれが生じない状態で血圧を測定することができるため、高精度の測定値を得ることが可能となる。【選択図】図２
2008104666.tif 000002
【特許請求の範囲】
【請求項１】
被測定者の手首に装着されて被測定者の血流を圧迫するカフ帯と、カフ帯に取り付けられ被測定者の脈圧を検出するための検出部、前記検出部が検出した脈圧から血圧を算出する算出部、及び前記算出部が算出した血圧を表示する表示部を有した血圧計本体と、を備え、前記血圧計本体が掌側の手首上に装着された状態で血圧を測定する手首血圧計において、
前記血圧計本体は、前記カフ帯を手首に装着するときにユーザによって視認され、前記検出部と被測定者の測定部位とを位置合わせするための目印部を備えていることを特徴とする手首血圧計。
【請求項２】
前記カフ帯は、前記血圧計本体に、その手首側縁部から所定距離だけ該手首側縁部から離れる方向にずらして取り付けられていることを特徴とする請求項１に記載の手首血圧計。
【請求項３】
前記血圧計本体は、その手首側縁部が、手首の掌側の付け根のラインと略一致するように形成されていることを特徴とする請求項２に記載の手首血圧計。
【請求項４】
前記血圧計本体は、前記カフ帯を手首に装着したときに、手首の掌側に当接し得る凸形状部を備えたことを特徴とする請求項１に記載の手首血圧計。
【請求項５】
前記目印部は、前記血圧計本体の手首側端面の略中央部に、手首側に向けて張出し、該血圧計本体の上面から下面に亘って伸びるように形成されていることを特徴とする請求項１に記載の手首血圧計。
【発明の詳細な説明】
【技術分野】
【０００１】
本発明は、オシロメトリック法を用いて被測定者の手首において血圧を測定する血圧計に関する。
【背景技術】
【０００２】
オシロメトリック法を用いた血圧計のカフ帯を被測定者の手首に装着することにより、被測定者の血圧を測定する手首血圧計は各種提供されている。オシロメトリック法とは、血圧測定方式の１つであり、手首に巻かれたカフ帯に空気を送り込むことによって動脈を圧迫して血液の流れを止めた後、カフ帯の空気を徐々に抜いていき、動脈に血液が流れはじめるときの動脈壁の振動に基づいて血圧を測定する方法である。手首血圧計を用いて正確に血圧を測定するためには、カフ帯を手首の正しい位置に装着し、カフ帯が装着された手首を心臓の高さまで上げ、さらに血圧測定開始時にカフ帯を手首に密着させる必要がある。
【０００３】
そこで、特許文献１に示される技術においては、カフ帯が装着された手首が心臓の高さまで上げられているかを判定する判定手段と、判定手段が判定した結果を被測定者に報知する報知手段とを備えた手首血圧計が知られている。これにより、被測定者は、カフ帯が装着されている手首を心臓の高さまで上げているかを容易に知ることができるため、正確に血圧を測定することが可能となる。また、特許文献２に示される技術においては、電気によって加熱される形状記憶合金で形成された締付帯を有するカフ帯を備えた手首血圧計が開示されている。手首血圧計は、カフ帯が手首に巻かれると形状記憶合金を加熱することにより締付帯を収縮させる。これにより、カフ帯は手首に密着するため、被測定者は正確に血圧を測定することが可能となる。
【０００４】
しかしながら、特許文献１及び特許文献２に示される技術を用いた手首血圧計であっても、カフ帯が手首の正しい位置に装着されていない状態で血圧測定がなされると、正確に血圧を測定ができなかった。手首血圧計の取扱説明書には、手首の正しい位置にカフ帯を装着する手順及び図が示されている。しかし、被測定者は、手首血圧計を使用する前に取扱説明書に目を通すとは限らず、また、手首血圧計を使用する都度、取扱説明書を参照してカフ帯が正しく手首に装着されているか否かを確認しない場合が多い。そのため、手首血圧計が、カフ帯を手首の正しい位置に装着されていない状態で使用されることにより、高精度の血圧測定値を得ることができないという問題が生じていた。
【特許文献１】特開２００１−１７８６９４号公報
【特許文献２】特開２００６−２０４４０１号公報
【発明の開示】
【発明が解決しようとする課題】
【０００５】
本発明は、上記従来例の問題を解決するためになされたものであり、手首血圧計が、手首の正しい位置に装着されていない状態で使用されることによって生じる血圧測定精度の低下を防止する。
【課題を解決するための手段】
【０００６】
上記目的を達成するために請求項１の発明は、被測定者の手首に装着されて被測定者の血流を圧迫するカフ帯と、カフ帯に取り付けられ被測定者の脈圧を検出するための検出部、検出部が検出した脈圧から血圧を算出する算出部、及び算出部が算出した血圧を表示する表示部を有した血圧計本体と、を備え、血圧計本体が掌側の手首上に装着された状態で血圧を測定する手首血圧計において、血圧計本体は、カフ帯を手首に装着するときにユーザによって視認され、検出部と被測定者の測定部位とを位置合わせするための目印部を備えているようにしたものである。
【０００７】
また、請求項２の発明は、請求項１の手首血圧計において、カフ帯は、血圧計本体に、その手首側縁部から所定距離だけ手首側縁部から離れる方向にずらして取り付けられているようにしたものである。
【０００８】
また、請求項３の発明は、請求項２の手首血圧計において、血圧計本体は、その手首側縁部が、手首の掌側の付け根のラインと略一致するように形成されているようにしたものである。
【０００９】
また、請求項４の発明は、請求項１の手首血圧計において、血圧計本体は、カフ帯を手首に装着したときに、手首の掌側に当接し得る凸形状部を備えたようにしたものである。
【００１０】
また、請求項５の発明は、請求項１の手首血圧計において、目印部は、血圧計本体の手首側端面の略中央部に、手首側に向けて張出し、血圧計本体の上面から下面に亘って伸びるように形成されているようにしたものである。
【発明の効果】
【００１１】
請求項１の発明によれば、被測定者は、血圧計本体に設けられた目印部を目安とすることにより、容易にカフ帯を手首の正しい位置に装着することができる。これにより、被測定者は、精度の高い血圧測定値を得ることが可能となる。
【００１２】
請求項２の発明によれば、カフ帯は、血圧計本体の手首側から所定の距離をおいて血圧計本体に取り付けられている。被測定者は、血圧計本体の手首側縁部を手首に重なるようにして装着するだけで、カフ帯を手首の尺骨頭上を避けた状態で手首に巻き付けることが可能となる。これにより、被測定者は、尺骨頭の影響を受けることなく、精度の高い血圧測定値を得ることが可能となる。
【００１３】
請求項３の発明によれば、血圧計本体は、その手首側縁部が、手首の掌側の付け根のラインと略一致するように形成されている。被測定者は、容易に血圧計本体の手首側縁部を手首に重ねた状態で手首血圧計を装着することが可能となる。
【００１４】
請求項４の発明によれば、血圧計本体は、前記手首血圧計が正しく手首に装着されたときに手首に当接する凸形状部を備える。被測定者は、手首を掌側へ曲げることができなくなる。これにより、血圧測定中に手首が動くことを防止することができるため、手首が動くことによる血圧測定の精度の低下を回避することが可能となる。
【００１５】
請求項５の発明によれば、目印部は、血圧計本体の手首側端面の略中央部に、手首側に向けて張出すように形成されている。被測定者は、測定時に必ず見る血圧計本体の上面を見ることにより、目印部を目視することができる。これにより、被測定者は、容易にカフ帯を手首の正しい位置に装着することができるため、精度の高い血圧測定値を得ることが可能となる。
【発明を実施するための最良の形態】
【００１６】
以下、本発明の実施形態に係る手首血圧計について、図面を参照して説明する。図１は、本発明の第１の実施形態に係る手首血圧計を、図２はその使用状態を示す。手首血圧計１は、被測定者の手首９に巻き付けられるカフ帯２と、血圧を測定する血圧計本体３とが一体に結合することにより構成されている。カフ帯２は内側に、空気が供給されることにより手首９の動脈を圧迫する阻血部４と、手首９に密着させるためにカフ帯２が締め付けられたときに所定以上締め付けることをできないようにする係止部５とを備え、外側にはカフ帯２が手首９に巻き付けられた状態を維持するための仮止部６を備える。血圧計本体３は、被測定者の脈圧を検出する検出部３ａと、検出部３ａが検出した脈圧に基づいて血圧を算出する算出部３ｂとを内蔵し、上面には被測定者から血圧測定の開始及び終了の指示を受付ける開始終了釦７と、測定した最高血圧、最低血圧、及び脈拍などを表示する表示部８を備え、手首側端面には、手首血圧計１を手首９に正しく巻き付ける目安となる目印部１０を備える。ここで、仮止部６は、例えば、面ファスナーであって容易に脱着することが可能な構成となっている。目印部１０は、血圧計本体３の手首側端面であって、手首９の周方向に沿った長さの中央部に設けられ、例えば、逆三角形であり手首９を指すように設けられる。また、表示部８は、例えば、液晶画面である。
【００１７】
手首血圧計１は、開始終了釦７が押下されると血圧測定を開始し、阻血部４に空気を供給する。阻血部４は、手首９の動脈を圧迫し、その後、阻血部４に供給された空気が段階的に抜かれていくことにより、圧迫していた動脈への圧力を減圧していく。このとき、検出部３ａは、脈圧および動脈壁の振動に関するデータを検出する。算出部３ｂは、検出部３ａが検出したデータに基づいて、最高血圧、最低血圧、及び脈拍などを算出する。算出部３ｂによって算出された最高血圧、最低血圧、及び脈拍などは、表示部８に表示される。
【００１８】
本実施形態の手首血圧計１の使用状態を説明する。被測定者は、目印部１０が手首９の幅方向中央を指すようにして、手首血圧計１を手首９に装着する。このとき、カフ帯２は、手首９の周方向にずれることなく正しい位置に巻き付けられた状態となる。これにより、手首血圧計１は、周方向へのずれが生じない状態で血圧を測定することができるため、高精度の測定値を得ることが可能となる。
【００１９】
図３は、本発明の第２の実施形態に係る手首血圧計１の使用状態を示す。この実施形態においては、カフ帯２は、血圧計本体３の手首側縁部から所定の距離ｄをおいて血圧計本体３に取り付けられている。ここで、距離ｄは、例えば、１０〜２０ｍｍであり、特に１５ｍｍであることが望ましい。手首９は、尺骨頭によって硬く盛り上がっている部位１１を有する。カフ帯２が部位１１上に巻き付けられた状態で血圧測定がなされると、測定精度が低下することがある。それは、阻血部４が、空気を送り込まれることによって手首９の動脈を圧迫しても、部位１１によってうまく動脈を圧迫できないためである。そこで、本実施形態に係る手首血圧計１において、被測定者は、血圧計本体３の手首側縁部が手首９を横断するように存在する線状の皺１２（ライン）に重なるようにして、手首血圧計１を手首９に装着する。このとき、カフ帯２は、血圧計本体３の手首側縁部から所定の距離ｄをおいて血圧計本体３に取り付けられているため、部位１１を避けて手首９に巻き付けられることになる。これにより、手首血圧計１は、部位１１の影響を受けることなく血圧を測定することができるため、高精度の測定値を得ることが可能となる。
【００２０】
図４は、本発明の第３の実施形態に係る手首血圧計１の使用状態を示す。この実施形態においては、血圧計本体３の手首側縁部１３は、皺１２の形状に合わせたなだらかな円弧状に形成されている。ここで、手首側縁部１３の曲率Ｒは、例えば、Ｒ７０である。被測定者は、手首側縁部１３が皺１２に重なるように手首血圧計１を手首９に装着する。このとき、カフ帯２は、手首９から肘への軸方向について、正しい位置に巻き付けられる。これにより、手首血圧計１は、軸方向へのずれが生じない状態で血圧を測定することができるため、高精度の測定値を得ることが可能となる。
【００２１】
図５は、本発明の第４の実施形態に係る手首血圧計１の使用状態を示す。この実施形態においては、血圧計本体３は、手首側端面の下方に、手首９に当接するための凸形状部１４を備える。凸形状部１４は、手首血圧計１が正しく手首９に装着されたとき、手首９に当接するように構成されている。被測定者は、手首血圧計１を正しく手首９に装着すると、手首９に当接した凸形状部１４により、手首９を掌側方向ｈへ曲げることができなくなる。これにより、手首血圧計１は、血圧測定中に、手首９が動かされることによる体動の影響を受けることなく、血圧を測定することができるため、高精度の測定値を得ることが可能となる。
【００２２】
図６は、本発明の第５の実施形態に係る手首血圧計１の使用状態を示す。この実施形態においては、目印部１０は、血圧計本体３の上面から下面に亘って伸びるように形成されている。ここで、目印部１０は、血圧計本体３の手首側端面から手首側に向けて略二等辺三角形となるように張出し三角柱形状となるように形成されている。被測定者は、目印部１０の略二等辺三角形となっている頂点を手首９の幅の中央に重なるようにして、手首血圧計１を手首９に装着する。このとき、カフ帯２は、手首９の周方向にずれることのない正しい位置に巻き付けられる。これにより、被測定者は、血圧測定時に視覚的に見やすい血圧計本体３の上面を見ることで、目印部１０を視認することができるため、容易に手首血圧計１を周方向へのずれが生じない状態で装着することができる。
【００２３】
このように、各実施形態に示される手首血圧計１は、手首９の正しい位置に装着されるとともに、血圧測定中に被測定者が手首９を動かすことを防止することができるため、高精度の血圧測定値を得ることが可能となる。
【００２４】
なお、本発明は、上記実施形態の構成に限られず、種々の変形が可能であり、例えば、目印部１０の形状は、逆三角形でなく矢印であっても構わない。また、本発明の第１の実施形態の変形例において、目印部１０は、三角柱形状に張出形成されるのではなく、楕円柱形状に張出形成される構成であっても構わない。
【図面の簡単な説明】
【００２５】
【図１】本発明の第１の実施形態に係る手首血圧計の斜視図。
【図２】第１の実施形態に係る手首血圧計の使用状態の斜視図。
【図３】本発明の第２の実施形態に係る手首血圧計の使用状態の側面図。
【図４】本発明の第３の実施形態に係る手首血圧計の使用状態の上面図。
【図５】本発明の第４の実施形態に係る手首血圧計の使用状態の側面図。
【図６】本発明の第５の実施形態に係る手首血圧計の使用状態の斜視図。
【符号の説明】
【００２６】
１  手首血圧計
２  カフ帯
３  血圧計本体
３ａ  検出部
３ｂ  算出部
８  表示部
９  手首
１０  目印部
１２  皺（ライン）
１３  手首側縁部
１４  凸形状部
【図１】
2008104666.tif 000003
【図２】
2008104666.tif 000004
【図３】
2008104666.tif 000005
【図４】
2008104666.tif 000006
【図５】
2008104666.tif 000007
【図６】
2008104666.tif 000008